(57)【特許請求の範囲】
【請求項１】
精米機本体の白米排出口から排出された白米を下方に導く案内溝の下端部に一側方に斜めに屈曲した出口部を設け、上記案内溝の内面を精米機本体の面で閉塞すると共に、上記出口部の下端側と内面側をそれぞれ開放して下端側開放面と内面側開放面を形成して使用に供される精米機の白米案内樋において、上記出口部を形成する下部傾斜板に、該下部傾斜板に沿った白米の流れを上記の下端側開放面と内面側開放面に分配する下部分配リブを設けたことを特徴とする精米機の白米案内樋。
【請求項２】
精米機本体の白米排出口から排出された白米を下方に導く案内溝の下端部に一側方に斜めに屈曲した出口部を設け、上記案内溝の内面を精米機本体の面で閉塞すると共に、上記出口部の下端側と内面側をそれぞれ開放して下端側開放面と内面側開放面を形成して使用に供される精米機の白米案内樋において、上記出口部を形成する出口前面板に、該出口前面板に沿った白米の流れを上記の下端側開放面と内面側開放面に分配する前面分配リブを設けたことを特徴とする精米機の白米案内樋。
【請求項３】
精米機本体の白米排出口から排出された白米を下方に導く案内溝の下端部に一側方に斜めに屈曲した出口部を設け、上記案内溝の内面を精米機本体の面で閉塞すると共に、上記出口部の下端側と内面側をそれぞれ開放して下端側開放面と内面側開放面を形成して使用に供される精米機の白米案内樋において、上記出口部を形成する下部傾斜板に、該下部傾斜板に沿った白米の流れを上記の下端側開放面と内面側開放面に分配する下部分配リブを設け、上記出口部を形成する出口前面板に、該出口前面板に沿った白米の流れを上記の出口側開放面と内面側開放面に分配する前面分配リブを設けたことを特徴とする精米機の白米案内樋。
【請求項４】
上記の出口部における下部傾斜板の幅を、その上方に連続した上記案内溝の側板の幅より大きく形成したことを特徴とする請求項１から３のいずれかに記載の精米機の白米案内樋。
【発明の詳細な説明】
【０００１】
【発明の属する技術分野】
この発明は一般家庭等で用いられる簡便な精米機における白米案内樋に関するものである。
【０００２】
【従来の技術】
一般家庭等で用いられる簡便な精米機は、精米機本体の精米室に搗精ロールを挿入し、その搗精ロールに六角形の角筒体又は円筒体の精米スクリーンを所要の隙間をおいて嵌合し、搗精ロールの後端部を精米機本体で支持すると共にその前端部を精米室の開放部に設けたスクリーン押さえ板の白米排出口に挿通係止させてなる構成が採用される。
【０００３】
図７は従来の精米機を示しており、精米機本体１の精米室に送り込まれた玄米は、搗精ロールと精米スクリーンとの隙間において米粒相互の摩擦により精米され、その時発生したぬかが精米スクリーンに設けられた多数のスリットを通して排出され、精米機本体１の下方の設置されたぬか受けケース２に落下する。また、精米された白米は精米スクリーンの前端に設けられた抵抗板３を押し開けながら白米排出口から外部に排出され、その排出口に設けられた白米案内樋４を通って上記ぬか受けケース２に併置された白米受けケースに５に落下する。
【０００４】
上記の白米案内樋４はその下端部に一側方に斜めに屈曲された出口部６が設けられ、その出口部６が白米受けケース５の前面壁７に接近した部分の上方に臨んでいる。
【０００５】
【発明が解決しようとする課題】
上記の精米機はその製品サイズを小さくするために、白米受けケース５の設置位置が、白米案内樋４の出口部６が該白米受けケース５の前面壁７に接近した上方に臨むような位置に設定されている。このため、白米案内樋４の出口部６から排出された白米が、白米受けケース５の前面壁７に近い位置に片寄って堆積され、該ケース５の後部に収納余裕があるにもかかわらず白米が溢れてこぼれ落ちることがある。
【０００６】
このような問題を解消するために、白米案内樋４の出口部６の部分をケース５の後方に向くようにわん曲させることが提案されているが、わん曲部分に白米が残留し易く、そのためにユーザーによる手入れの際に、白米案内樋４を外した際に、その残留白米がこぼれ落ちるという不都合がある。
【０００７】
そこで、この発明は、上記の図７に示した出口部６が一側方斜め下向きに屈曲した形式の白米案内樋に改良を加えて、白米受けケースの内部に白米をできるだけ分散して堆積させることを課題とする。
【０００８】
【課題を解決する手段】
上記の課題を解決するための手段として、この発明は精米機本体の白米排出口から排出された白米を下方に導く案内溝の下端部に一側方に斜めに屈曲した出口部を設け、上記案内溝の内面を精米機本体の面で閉塞すると共に、上記出口部の下端側と内面側をそれぞれ開放して下端側開放面と内面側開放面を形成して使用に供される精米機の白米案内樋において、上記出口部を形成する下部傾斜板に、該下部傾斜板に沿った白米の流れを上記の下端側開放面と内面側開放面に分配する下部分配リブを設けた構成とした。
【０００９】
その他の手段として、精米機本体の白米排出口から排出された白米を下方に導く案内溝の下端部に一側方に斜めに屈曲した出口部を設け、上記案内溝の内面を精米機本体の面で閉塞すると共に、上記出口部の下端側と内面側をそれぞれ開放して下端側開放面と内面側開放面を形成して使用に供される精米機の白米案内樋において、上記出口部を形成する出口前面板に、該出口前面板に沿った白米の流れを上記の下端側開放面と内面側開放面に分配する前面分配リブを設けた構成をとることができる。
【００１０】
また、その他の手段として、精米機本体の白米排出口から排出された白米を下方に導く案内溝の下端部に一側方に斜めに屈曲した出口部を設け、上記案内溝の内面を精米機本体の面で閉塞すると共に、上記出口部の下端側と内面側をそれぞれ開放して下端側開放面と内面側開放面を形成して使用に供される精米機の白米案内樋において、上記出口部を形成する下部傾斜板に、該下部傾斜板に沿った白米の流れを上記の下端側開放面と内面側開放面に分配する下部分配リブを設け、上記出口部を形成する出口前面板に、該出口前面板に沿った白米の流れを上記の出口側開放面と内面側開放面に分配する前面分配リブを設けた構成をとることもできる。
【００１１】
なお、上記のいずれの場合においても、上記の出口部における下部傾斜板の幅を、その上方に連続した上記案内溝の側板の幅より大きく形成した構成をとることができる。
【００１２】
【発明の実施の形態】
以下、この発明の実施の形態を添付図面に基づいて説明する。まず、図１及び図２に基づいて精米機の全体を説明する。
【００１３】
これらの図面に示すように、ケーシング１１の底部に基台１２を設け、その内部にモーター１３を設置し、その基台１２上に精米機本体１４の軸受部１５を固定している。軸受部１５に水平方向に主軸１６が回転自在に支持され、モーター１３の回転をベルト１７とプーリー１８で該主軸１６（図２参照）に伝達するようにしている。
【００１４】
上記の精米機本体１４の軸受部１５の前部に玄米供給部１９が設けられ、該玄米供給部１９はケーシング１１のホッパー２１に連通している。またその玄米供給部１９の前方にこれと連通した精米室２２が設けられる。精米室２２の下端は開放されぬか排出口２３となり、また該精米室２２の前端も開放されるが、その前端開放部にはスクリーン押さえ板２４が取外し自在に固定される。
【００１５】
上記の主軸１６の前端にこれと同軸かつ一体に搗精ロール２６が設けられ、その搗精ロール２６が前記の玄米供給部１９を経て精米室２２に挿通される。上記の精米室２２において搗精ロール２６の周りに六角筒状の精米スクリーン２８が所定の隙間をもって嵌合される。精米スクリーン２８の後端が前記の玄米供給部１９に向けて開放されている。また精米スクリーン２８の前端部はスクリーン押さえ板２４に設けられた６角形の係止穴３１に挿入係止される。
【００１６】
上記の係止穴３１に挿入された精米スクリーン２８の出口が白米排出口２７となっており（図１参照）、その白米排出口２７は円板形の抵抗板３２が接離自在に閉鎖している。その抵抗板３２は上方に伸びた支持アーム３３により支持され、支持アーム３３を介してばね力調整装置３５に連結されている。そのばね力調整装置３５により抵抗板３２が精米スクリーン２８の前面開放口を閉鎖する力を変化させるようになっている。
【００１７】
上記の白米排出口２７と抵抗板３２及び支持アーム３３を囲こむ白米案内樋３８がスクリーン押さえ板２４に着脱自在に取付けられる。
【００１８】
精米機本体１４の下方において、ケーシング１１の底面に左右一対のぬか受けケース３９と白米受けケース４１とがケーシング１１の前方から出し入れ自在に収納され、前記のぬか排出口２３がぬか受けケース３９上に臨み、また白米案内樋３８が白米受けケース４１の前面壁４０に接近してその上方に臨む。
【００１９】
上記の白米案内樋３８の詳細は、図３から図６に示すようなものである。この白米案内樋３８は、前記のスクリーン押さえ板２４と平行な平面の前面板４２、両側板４３、４３’とにより上下方向の案内溝４４が形成される。その案内溝４４の内面が開放され、上端は前記の支持アーム３３を逃がすために開放されている。
【００２０】
上記の案内溝４４の下端に出口部４５が設けられる。即ち、案内溝４４の両側板４３、４３’は、その下端部の屈曲部４６、４６’において、一方の側板４３’の方向に斜め下方に角度θ（図示の場合約１３０°、図４（ａ）参照）だけ屈曲され、その側板４３’は屈曲部４６’を経て出口部４５の上部傾斜板４７’に連続している。上記の屈曲部４６’の内側で上記の上部傾斜板４７’に対してぼ９０°の角度で前面板４２の内面に後述の前面分配リブ５６が設けられる。
【００２１】
また、他方の側板４３は上記の屈曲部４６において上記の屈曲角度θより若干小さい角度θ’で屈曲して、上記の前面分配リブ５６の下端部分まで延び、出口部４５の下部傾斜板４７に連続している。下部傾斜板４７は、上記の側板４３よりも幅広に形成されている。更に、上記の上部傾斜板４７’と下部傾斜板４７との間に、前面板４２に連続した出口前面板４８が形成される。出口部４５は、上記の上部傾斜板４７’、下部傾斜板４７、及び出口前面板４８とにより形成される。
【００２２】
上記の案内溝４４は、精米機本体１４に取り付けられた状態で、スクリーン押さえ板２４により内面が閉塞される。出口部４５の内面は開放されたままである。従って、出口部４５の下端側と内面側が開放され、それらの開放面がそれぞれ下端側開放面４９、内面側開放面５１となる。
【００２３】
なお、上記の両側板４３、４３’に係止突起５２、５２が形成され、各係止突起５２がスクリーン押さえ板２４の係止穴５３、５３に着脱自在に係合される（図３参照）。
【００２４】
さて、上記の出口部４５において、下部傾斜板４７の内面に下部分配リブ５４が設けられている。この下部分配リブ５４は、下部傾斜板４７の出口前面板４８側の隅部（前面分配リブ５６の下端部）から、下部傾斜板４７の下端の内面側開放面５１の隅部に至る所定高さの傾斜辺５５を有する三角形板により形成される。
【００２５】
上記の傾斜辺５５の流れ方向傾斜角α（図４（ｃ）参照）、及び下部傾斜板４７に対する立上がり角β（図４（ｄ）参照）は、それぞれ所定の鈍角に設定される。
【００２６】
なお、下部分配リブ５４を上記のように三角板により形成したのは、型抜きの容易さを考慮した製作上の要求によるものであり、機能上は傾斜辺５５を含む突条であればよい。
【００２７】
上記の下部分配リブ５４は、屈曲部４６から下方の側板４３及び下部傾斜板４７に沿って流れ下る白米の流れがこれに当たると、図５において符号ａで示すように、内面側開放面５１の方向に向きを変えるように案内される。また、該リブ５４に当たらない流れｂは、下端側開放面４９の方向に案内される。下端側開放面４９と内面側開放面５１へ分配する割合は、該リブ５４の高さｈ１  （図４（ｄ）参照）、流れ方向傾斜角α、立上がり角βを、白米の残留を来さない範囲で適宜選定して設定される。これらの大きさの数値の例を示せば、下部分配リブ５４の高さｈ１  ＝３ｍｍ，流れ方向傾斜角α＝１３５°、立上がり角β＝１００°である。
【００２８】
また、上記の出口部４５において、出口前面板４８と前面板４２の境界部分の内面に前記の前面分配リブ５６が、ほぼ９０°に近い流れ方向傾斜角γ（図４（ａ）参照）で設けられている。該リブ５６は断面三角形の突条に形成され、その立ち上がり角はδであり、高さはｈ２  である（図４（ｃ）参照）。
【００２９】
前面板４２に沿って流れ下る白米の流れが該リブ５６に当たると、図５において符号ｃで示すように、内面側開放面５１の方向に向きを変えるように案内される。また、該リブ５６に当たらない流れｂは、下端側開放面４９の方向に案内される。下端側開放面４９と内面側開放面５１へ分配する割合は、該リブ５６の高さｈ２  、流れ方向傾斜角γ、立上がり角δを白米の残留を来さない範囲で適宜選定して設定される。これらの大きさの数値の例を示せば、前面分配リブ５６の高さｈ２  ＝３ｍｍ，流れ方向傾斜角γ＝１０５°、立上がり角δ＝１３５°である。
【００３０】
上記の下部分配リブ５４、及び前面分配リブ５６に当たる白米は、そのリブ５４、５６の当たる位置や、当たる際の速度等がまちまちであり、また当たったとしても方向が内面側開放面５１の方向に変わることなく下端側開放面４９の方向に流れるものがある。従って、白米の流れが下端側開放面４９と内面側開放面５１の方向に分配されるといっても、その方向は一定ではなく、図６において、前記の符号ａ，ｂ，ｃで示すように分散され、白米は白米受けケース４１の前面壁４０の部分に片寄ることなく、ほぼ均等の高さに堆積される。
【００３１】
上記のように白米が分散される際に、下部傾斜板４７が幅広に形成されていると、内面側開放面５１の方向に排出される白米を、白米受けケース４１の内部後方に運ぶ作用がある。
【００３２】
なお、上記下部分配リブ５４と前面分配リブ５６のいずれか一方を設けるだけでも、ある程度の分散効果が得られる。
【００３３】
【発明の効果】
以上のように、この発明によれば、製品のコンパクト性を損なうことなく、また残留米が生じることなく、白米受けケースに堆積される白米を分散化し、その容量を十分に利用することができる。
【図面の簡単な説明】
【図１】実施形態の一部省略斜視図
【図２】同上の一部省略断面図
【図３】（ａ）精米排出部分の分解斜視図
（ｂ）（ａ）図の部分の組立状態の側面図
（ｃ）（ａ）図の部分の横断平面図
【図４】（ａ）白米案内樋の背面図
（ｂ）（ａ）図の部分の側面図
（ｃ）（ａ）図のｃ−ｃ線の断面図
（ｄ）（ｃ）図のｄ−ｄ線の断面図
（ｅ）（ａ）図の部分の斜視図
【図５】（ａ）白米案内樋の出口部の背面図
（ｂ）（ａ）図のｂ−ｂ線の断面図
（ｃ）（ａ）図の部分の一部切欠斜視図
【図６】白米受けケースの部分の一部断面図
【図７】従来例の一部省略斜視図
【符号の説明】
１１  ケーシング
１２  基台
１３  モーター
１４  精米機本体
１５  軸受部
１６  主軸
１７  ベルト
１８  プーリー
１９  玄米供給部
２１  ホッパー
２２  精米室
２３  排出口
２４  スクリーン押さえ板
２６  搗精ロール
２７  白米排出口
２８  精米スクリーン
３１  係止穴
３２  抵抗板
３３  支持アーム
３５  ばね力調整装置
３８  白米案内樋
３９  ぬか受けケース
４０  前面壁
４１  白米受けケース
４２  前面板
４３、４３’  側板
４４  案内溝
４５  出口部
４６、４６’  屈曲部
４７  下部傾斜板
４７’  上部傾斜板
４８  出口前面板
４９  下端側開放面
５１  内面側開放面
５２  係止突起
５３  係止穴
５４  下部分配リブ
５５  傾斜辺
５６  前面分配リブ
【図１】
0003556856.tif 000002
【図２】
0003556856.tif 000003
【図３】
0003556856.tif 000004
【図４】
0003556856.tif 000005
【図５】
0003556856.tif 000006
【図６】
0003556856.tif 000007
【図７】
0003556856.tif 000008